(57)【要約】      （修正有）【課題】ルーペや眼鏡等の視力補助具を杖に保持することができる杖用視力補助具ホルダーを提供する。【解決手段】鞘状ホルダー本体２と、鞘状ホルダー本体２を杖に固定するための帯状固定体７とからなる。鞘状ホルダー本体２は、上部開口２Ａから収容する視力補助具を差し込むことができるように、縦に長い薄型の形態とする。また、上部開口２Ａには飛び出し防止手段３を備える。帯状固定体７は中央部を鞘状ホルダー本体２に固着し、両先端部７Ａ、７Ｂの夫々に面ファスナー８、９を取着すると共に、杖に接触する面に滑り止め手段１０を備える。【選択図】図１
0003200165.tif 000002
【実用新案登録請求の範囲】
【請求項１】
収納するものが抜け落ちないように下部開口を一部塞いだ、縦に長い薄型の鞘状ホルダー本体と、該鞘状ホルダー本体に設けた、杖に巻き付けて該鞘状ホルダー本体を杖に固定するための帯状固定体とからなることを特徴とする杖用視力補助具ホルダー。
【請求項２】
鞘状ホルダー本体が、種類の異なる視力補助具を夫々収納するための複数の鞘状ホルダー本体を一体化して形成してなる鞘状ホルダー本体である請求項１記載の杖用視力補助具ホルダー。
【請求項３】
鞘状ホルダー本体が、上部開口を一部塞いで、収納するものの上部開口からの飛び出しを防ぐための飛び出し防止手段を備えてなる鞘状ホルダー本体である請求項１又は２記載の杖用視力補助具ホルダー。
【請求項４】
飛び出し防止手段が、基端側を鞘状ホルダー本体の背面側外面の頂部中央に固着した帯体の先端部に設けた雄ホックと、鞘状ホルダー本体の正面側外面の頂部中央に設けた雌ホックとの噛み合わせによる飛び出し防止手段である請求項３記載の杖用視力補助具ホルダー。
【請求項５】
飛び出し防止手段が、鞘状ホルダー本体の背面側内面の頂部中央に設けた雌ホックと、鞘状ホルダー本体の正面側内面の頂部中央に設けた雄ホックとの噛み合わせによる飛び出し防止手段である請求項３記載の杖用視力補助具ホルダー。
【請求項６】
飛び出し防止手段が、鞘状ホルダー本体の背面側内面の頂部中央に設けた面ファスナーと、鞘状ホルダー本体の正面側内面の頂部中央に設けた面ファスナーとの貼り合わせによる飛び出し防止手段である請求項３記載の杖用視力補助具ホルダー。
【請求項７】
帯状固定体が、柔軟性素材からなり、長手方向の中央部を鞘状ホルダー本体に固着し、水平に張り出した両先端部の夫々に、貼り合わされる面ファスナーを取着し、更に杖に接触する面に滑り止め手段を備えてなる帯状固定体である請求項１、２、３、４、５又は６記載の杖用視力補助具ホルダー。
【請求項８】
滑り止め手段が、帯状のゴムである請求項７記載の杖用視力補助具ホルダー。
【請求項９】
滑り止め手段が、粘着テープである請求項７記載の杖用視力補助具ホルダー。
【請求項１０】
帯状固定体が、帯状のゴムからなり、長手方向の中央部を鞘状ホルダー本体に固着し、水平に張り出した両先端部の夫々に、噛み合わされる雌ホックと雄ホックのいずれかを設けた帯状固定体である請求項１、２、３、４、５又は６記載の杖用視力補助具ホルダー。
【請求項１１】
帯状固定体が、帯状のゴムからなり、長手方向の中央部を鞘状ホルダー本体に固着し、水平に張り出した両先端部の夫々に、貼り合わされる面ファスナーを取着した帯状固定体である請求項１、２、３、４、５又は６記載の杖用視力補助具ホルダー。
【考案の詳細な説明】
【技術分野】
【０００１】  本考案は、ルーペや眼鏡等の視力補助具を杖に保持しておくための杖用視力補助具ホルダーに関するものである。
【背景技術】
【０００２】  足腰の弱い老人や病気或いは身体に障害のある人は歩行の際に杖を使用する人も多い。また、視力は各個人で異なり、異常の程度が進行した人はこの視力を補うためにルーペや眼鏡を使用せざるを得ない。例えば、書物を読むとき、或いは文字を書くときに、ルーペや眼鏡を使用しないと、書物を読むことも文字を書くこともできない。【０００３】  また、視力が異常な人でも、程度がそれ程ひどくなく、ルーペ或いは度がそれ程強くない眼鏡がありさえすれば、読み書きのときだけこれを使用して用を足すことができる人もいれば、視力がかなりひどく、普段の日常生活において眼鏡を常に着用せざるを得ない人もいる。また更に、普段において眼鏡を常に着用している人においても、書物の文字が小さくて読みにくいときには、更にルーペを補助的に使用せざるを得ない場合もある。【０００４】  そして、前記の通り足腰の弱い老人の如き歩行時に杖を使用する人であって、このように所要の状況においてルーペや眼鏡を使用せざるを得ない人が外出するときにおいて、ルーペや眼鏡等の視力補助具を杖に保持しておくことができるようにすれば、外出先での読み書きの際にこれを使用してスムーズに用を足すことができて便利である。【０００５】  そしてまた、斯かる視力補助具を衣服のポケット、或いは手持ちのバッグや袋に入れて携行する場合には、ポケットが膨らんで体裁が悪く、またポケットやバッグ、袋の中にあると外部から見えないから家に置き忘れることもある。そこで、斯かる視力補助具を鞘状のホルダーにより杖に保持することができるようにすれば、衣服のポケットに入れて持ち運ぶ必要がなく、また保持した状態を常に視認することができるから、家に置き忘れることを防止することができる。【０００６】  また、視力補助具を杖に保持するようになす場合において、歩行時における杖の使用に対して邪魔にならず、且つまた片手がふさがっていることから、視力補助具の使用時における抜き差し等の取り扱いをスムーズに行えることが望ましく、更には歩行中や杖が転んだときにおいてホルダーから視力補助具が飛び出さないように工夫することも必要である。
【考案の概要】
【考案が解決しようとする課題】
【０００７】  本考案は上記の点に鑑みなされたものであって、ルーペや眼鏡等の視力補助具を杖に保持することができるようになすと共に、歩行時において杖の使用に対して邪魔にならず、且つまた視力補助具の使用時における抜き差し等の取り扱いをスムーズに行うことができ、更には歩行中や杖が転んだときにおいてホルダーから視力補助具が飛び出さないようにすることができるようになした杖用視力補助具ホルダーを提供しようとするものである。
【課題を解決するための手段】
【０００８】  而して、本考案の要旨とするところは、収納するものが抜け落ちないように下部開口を一部塞いだ、縦に長い薄型の鞘状ホルダー本体と、該鞘状ホルダー本体に設けた、杖に巻き付けて該鞘状ホルダー本体を杖に固定するための帯状固定体とからなることを特徴とする杖用視力補助具ホルダーにある。【０００９】  また、上記構成において、鞘状ホルダー本体を、種類の異なる視力補助具を夫々収納するための複数の鞘状ホルダー本体を一体化して形成してなる鞘状ホルダー本体としてもよい。【００１０】  また、上記構成において、鞘状ホルダー本体を、上部開口を一部塞いで、収納するものの上部開口からの飛び出しを防ぐための飛び出し防止手段を備えてなる鞘状ホルダー本体としてもよい。【００１１】  また、上記構成において、飛び出し防止手段を、基端側を鞘状ホルダー本体の背面側外面の頂部中央に固着した帯体の先端部に設けた雄ホックと、鞘状ホルダー本体の正面側外面の頂部中央に設けた雌ホックとの噛み合わせによる飛び出し防止手段としてもよい。【００１２】  また、上記構成において、飛び出し防止手段を、鞘状ホルダー本体の背面側内面の頂部中央に設けた雌ホックと、鞘状ホルダー本体の正面側内面の頂部中央に設けた雄ホックとの噛み合わせによる飛び出し防止手段としてもよい。【００１３】  また、上記構成において、飛び出し防止手段を、鞘状ホルダー本体の背面側内面の頂部中央に設けた面ファスナーと、鞘状ホルダー本体の正面側内面の頂部中央に設けた面ファスナーとの貼り合わせによる飛び出し防止手段としてもよい。【００１４】  また、上記構成において、帯状固定体を、柔軟性素材からなり、長手方向の中央部を鞘状ホルダー本体に固着し、水平に張り出した両先端部の夫々に、貼り合わされる面ファスナーを取着し、更に杖に接触する面に滑り止め手段を備えてなる帯状固定体としてもよい。【００１５】  また、上記構成において、滑り止め手段を、帯状のゴムとしてもよい。【００１６】  また、上記構成において、滑り止め手段を、粘着テープとしてもよい。【００１７】  また、上記構成において、帯状固定体を、帯状のゴムからなり、長手方向の中央部を鞘状ホルダー本体に固着し、水平に張り出した両先端部の夫々に、噛み合わされる雌ホックと雄ホックのいずれかを設けた帯状固定体としてもよい。【００１８】  また、上記構成において、帯状固定体を、帯状のゴムからなり、長手方向の中央部を鞘状ホルダー本体に固着し、水平に張り出した両先端部の夫々に、貼り合わされる面ファスナーを取着した帯状固定体としてもよい。
【考案の効果】
【００１９】  本考案は上記の如き構成であるから、ルーペや眼鏡等の視力補助具を鞘状ホルダー本体に差し込んだ状態において帯状固定体をもって該鞘状ホルダー本体を杖に固定することにより、視力補助具を杖に保持することができるものである。したがって、足腰の弱い老人の如き歩行時に杖を使用する人であって、所要の状況において視力補助具を使用せざるを得ない人が外出するときにおいて、外出先での読み書きの際にこれを使用してスムーズに用を足すことができるものである。【００２０】  また、視力補助具を持ち歩くために衣服のポケットに入れる必要がないから、ポケットが膨らむことのよる体裁の悪さを回避することができると共に、視力補助具が鞘状ホルダー本体に差し込まれた状態は常に視認することができるから、衣服のポケットに入れたり、バッグや袋の中に入れて持ち歩く場合よりも家への置き忘れが少なくて済むものである。【００２１】  また、鞘状ホルダー本体は、縦に長い薄型の形態であり、中心線が杖の軸線と平行するように固定されるから、鞘状ホルダー本体が杖から大きく出っ張ることがないと共に、軽量であるから、杖の長さ方向における重量のバランスを崩すこともないものである。したがって、歩行時における杖の使用に対して邪魔にならないものである。【００２２】  また、上記の如く鞘状ホルダー本体は、縦に長い薄型の形態をなし、上部開口から視力補助具を抜き差しするものであるから、片手がふさがっていたとしてもスムーズに抜き差しを行うことができるものである。【００２３】  また、鞘状ホルダー本体を、種類の異なる視力補助具を夫々収納するための複数の鞘状ホルダー本体を一体化して形成してなる鞘状ホルダー本体とした場合には、眼鏡とルーペの二種類の視力補助具を同時に持ち歩くことができるようになるものであり、両者を同時に使用する必要が生じたときに便利である。【００２４】  また、鞘状ホルダー本体を、上部開口を一部塞いで、収納するものの上部開口からの飛び出しを防ぐための飛び出し防止手段を備えてなる鞘状ホルダー本体とした場合には、歩行中や杖が転んだときにおいて、鞘状ホルダー本体から視力補助具が飛び出して破損することを防ぐことができるものである。【００２５】  また、帯状固定体を、柔軟性素材からなり、長手方向の中央部を鞘状ホルダー本体に固着し、水平に張り出した両先端部の夫々に、貼り合わされる面ファスナーを取着し、更に杖に接触する面に滑り止め手段を備えてなる帯状固定体とした場合には、杖の上下方向や円周方向へずれないようにして確固として鞘状ホルダー本体を杖に固定することができると共に、固定作業も迅速に行うことができるものである。【００２６】  また、帯状固定体を、帯状のゴムからなり、長手方向の中央部を鞘状ホルダー本体に固着し、水平に張り出した両先端部の夫々に、噛み合わされる雌ホックと雄ホックのいずれか、又は面ファスナーを設けた帯状固定体とした場合には、帯状固定体そのものが帯状のゴムであるから滑り止め手段を必要とせず、その分のコストを節約することができることになるものである。
【図面の簡単な説明】
【００２７】
【図１】本考案の第１実施形態に係る杖用視力補助具ホルダーの前方側から看た斜視図である。
【図２】同後方側から看た斜視図である。
【図３】本考案の第２実施形態に係る杖用視力補助具ホルダーの後方側から看た斜視図である。
【図４】本考案の第３実施形態に係る杖用視力補助具ホルダーの前方側から看た斜視図である。
【図５】本考案の第４実施形態に係る杖用視力補助具ホルダーの前方側から看た斜視図である。
【図６】本考案の第５実施形態に係る杖用視力補助具ホルダーの一部切欠して示した前方側から看た斜視図である。
【図７】本考案の第６実施形態に係る杖用視力補助具ホルダーの一部切欠して示した前方側から看た斜視図である。
【図８】本考案の第７実施形態に係る杖用視力補助具ホルダーの前方側から看た斜視図である。
【考案を実施するための形態】
【００２８】    以下、本考案を実施するための形態について、図面を参照して説明する。
【００２９】    先ず、図１及び図２に示す本考案の第１実施形態について説明する。
【００３０】  図中、１は後記鞘状ホルダー本体と帯状固定体とからなる杖用視力補助具ホルダーである。２は収納するものが抜け落ちないように下部開口２Ｂを一部塞いだ、縦に長い薄型の鞘状ホルダー本体である。また、該鞘状ホルダー本体２は、本実施形態においては視力補助具である眼鏡Ｇを上から差し込んで保持するに適した形態となしている。また、材質は合成皮革を用いているが、天然皮革、ビニール等適宜のものを選択して用いればよい。
【００３１】  また、本実施形態においては、上部開口２Ａを一部塞いで、収納した視力補助具である眼鏡Ｇの該上部開口２Ａからの飛び出しを防ぐための手段３を備えている。また、該飛び出し防止手段３として、本実施形態においては、基端側を鞘状ホルダー本体２の背面側外面の頂部中央に固着した帯体４の先端部に設けた雄ホック５と、鞘状ホルダー本体２の正面側外面の頂部中央に設けた雌ホック６との噛み合わせによる構成としている。
【００３２】  ７は前記鞘状ホルダー本体２に設けた、杖（図示せず。）に巻き付けて該鞘状ホルダー本体２を杖に固定するための帯状固定体である。また、該帯状固定体７は、本実施形態においては、柔軟性素材からなり、長手方向の中央部を鞘状ホルダー本体２に固着し、水平に張り出した両先端部７Ａ、７Ｂの夫々に、貼り合わされる面ファスナー８、９を取着し、更に杖に接触する面に滑り止め手段１０を備えてなるものとしている。また、該滑り止め手段１０は、本実施形態においては帯状のゴムを用い、これを帯状固定体７の長さ方向に沿って取着している。
【００３３】  而して、本実施形態は、帯状固定体７を杖に巻き付けることによって鞘状ホルダー本体２を杖に固定し、この状態において鞘状ホルダー本体２にその上部開口２Ａから視力補助具である眼鏡Ｇを差し込むものである。そして、更に飛び出し防止手段３により眼鏡Ｇの飛び出しを防ぐものである。
【００３４】  次に、図３に示す本考案の第２実施形態について説明する。
本実施形態と前記第１実施形態とは、滑り止め手段の点において相違するものである。即ち、本実施形態における滑り止め手段１１は、粘着テープ１１Ａを用いるものであり、そしてまた、使用するまでの間は剥離紙１１Ｂを仮貼着しておくものである。尚、その他の構成並びに作用は前記第１実施形態と同様であるから、同一の部材には同一の符号を付して詳細な説明は省略する。
【００３５】  次に、図４に示す本考案の第３実施形態について説明する。
本実施形態と前記第１実施形態とは、帯状固定体の点において相違するものである。即ち、本実施形態における帯状固定体７´は、帯状のゴムからなり、長手方向の中央部を鞘状ホルダー本体２に固着し、水平に張り出した両先端部７Ａ´、７Ｂ´の夫々に、噛み合わされる雌ホック１２と雄ホック１３のいずれかを設けた構成としてなるものである。尚、その他の構成並びに作用は前記第１実施形態と同様であるから、同一の部材には同一の符号を付して詳細な説明は省略する。また、図示はしないが、前記雌ホックと雄ホックに代えて面ファスナーを用いるようにしてもよい。
【００３６】  次に、図５に示す本考案の第４実施形態について説明する。
本実施形態と前記第１実施形態とは、鞘状ホルダー本体の形態の点において相違するものである。即ち、本実施形態における鞘状ホルダー本体２は、視力補助具であるルーペＬを上から差し込んで保持するに適した形態となしているものである。尚、その他の構成並びに作用は前記第１実施形態と同様であるから、同一の部材には同一の符号を付して詳細な説明は省略する。
【００３７】  次に、図６に示す本考案の第５実施形態について説明する。
本実施形態と前記第１実施形態とは、飛び出し防止手段の点において相違するものである。即ち、本実施形態における飛び出し防止手段３´は、鞘状ホルダー本体２の背面側内面の頂部中央に設けた雌ホック６と、鞘状ホルダー本体２の正面側内面の頂部中央に設けた雄ホック５との噛み合わせによる構成としてなるものである。尚、その他の構成並びに作用は前記第１実施形態と同様であるから、同一の部材には同一の符号を付して詳細な説明は省略する。
【００３８】  次に、図７に示す本考案の第６実施形態について説明する。
本実施形態と前記第１実施形態とは、飛び出し防止手段の点において相違するものである。即ち、本実施形態における飛び出し防止手段３´´は、鞘状ホルダー本体２の背面側内面の頂部中央に設けた面ファスナー１４と、鞘状ホルダー本体２の正面側内面の頂部中央に設けた面ファスナー１５との貼り合わせによる構成としてなるものである。尚、その他の構成並びに作用は前記第１実施形態と同様であるから、同一の部材には同一の符号を付して詳細な説明は省略する。
【００３９】  次に、図８に示す本考案の第７実施形態について説明する。
本実施形態と前記第１実施形態とは、鞘状ホルダー本体の形態の点において相違するものである。即ち、本実施形態における鞘状ホルダー本体２´は、種類の異なる視力補助具を夫々収納するための複数の鞘状ホルダー本体を一体化して形成してなるものであり、眼鏡用の鞘状ホルダー本体２の正面側外面にルーペ用の鞘状ホルダー本体２を一体化して形成してなるものである。尚、その他の構成並びに作用は前記第１実施形態と同様であるから、同一の部材には同一の符号を付して詳細な説明は省略する。
【符号の説明】
【００４０】１  杖用視力補助具ホルダー
２  鞘状ホルダー本体
３、３´、３´´  飛び出し防止手段
４  帯体
５  雄ホック
６  雌ホック
７、７´  帯状固定体
８、９  面ファスナー
１０  滑り止め手段
１１  滑り止め手段
１１Ａ  粘着テープ
１２  雌ホック
１３  雄ホック
１４、１５  面ファスナー
【図１】
0003200165.tif 000003
【図２】
0003200165.tif 000004
【図３】
0003200165.tif 000005
【図４】
0003200165.tif 000006
【図５】
0003200165.tif 000007
【図６】
0003200165.tif 000008
【図７】
0003200165.tif 000009
【図８】
0003200165.tif 000010